(57)【要約】【課題】本発明は、使用時における安定感を向上させ、頭が横に倒れた時も首及び肩にかかる負荷を軽減する首支え具及び枕を提供することを目的とする。【解決手段】この首支え具１は、水平方向から見て略U字形状に形成され、使用者の首が置かれる谷部３と、谷部３の両側から、それぞれ斜め上方に延び、使用者の左右の耳から顎を支える一対の山部２と、を備えている。好ましくは底部４が平らな面状である首支え具とする。また一対の山部２には、他の部材に首支え具１を固定する留め具５が設けられている首支え具とする。【選択図】      図１
2019118838.tif 000002
【特許請求の範囲】
【請求項１】
水平方向から見て略U字形状に形成され、使用者の首が置かれる谷部と、谷部の両側から、それぞれ斜め上方に延び、使用者の左右の耳から顎を支える一対の山部と、を備える首支え具。
【請求項２】
底部が平らな面状である請求項１に記載の首支え具。
【請求項３】
一対の山部には、他の部材に首支え具を固定する留め具が設けられている請求項１又は２に記載の首支え具。
【請求項４】
内部が複数の間仕切りによって区切られた請求項１から３のいずれかに記載の首支え具。
【請求項５】
略U字形状の内部に詰め物を入れこむ空間を設け、高さ調節を可能にした請求項１から４のいずれかに記載の首支え具。
【請求項６】
一対の山部の間に配置され、使用者の頭部を支える支持部を備える請求項１から５のいずれかに記載の首支え具。
【請求項７】
使用者の背中に沿って配置され、上下方向に延び、上端側で谷部又は山部を支持する骨部を備える請求項１から６のいずれかに記載の首支え具。
【請求項８】
請求項１から７のいずれかに記載の首支え具と、頭を載置する載置部と、を備える枕。
【発明の詳細な説明】
【技術分野】
【０００１】
本発明は、首支え具及び枕に関するものである。
【背景技術】
【０００２】
従来から首を支えるためのクッションはあったが、頭が横に倒れた場合に頭を支えることができず、不自然な体勢で寝てしまった場合、首に負担がかかっていた（例えば、特許文献１参照）。
【０００３】
また、従来の首を支えるためのクッションは、高さを調節する機能が備わっていないため、首を載置するクッションの高さを調節することができなかった。
【０００４】
さらに、クッションの中の構造を自由に変更するための間仕切りがなく、反発力が一律であった。
【０００５】
また、一対の山部に留め具を備えてないため、何かに固定して使用することができず、落下やずれの原因になった。
【先行技術文献】
【特許文献】
【０００６】
【特許文献１】特開２００１−２７５８１１号広報
【発明の概要】
【発明が解決しようとする課題】
【０００７】
本発明は、使用時における安定感を向上させ、頭が横に倒れた時も首及び肩にかかる負荷を軽減することを目的とする。
【課題を解決するための手段】
【０００８】
請求項１に記載の本発明は、水平方向から見て略U字形状に形成され、使用者の首が置かれる谷部と、谷部の両側から、それぞれ斜め上方に延び、使用者の左右の耳から顎を支える一対の山部と、を備える首支え具であることを特徴としている。
【０００９】
請求項２に記載の本発明は、底部が平らな面状である請求項１に記載の首支え具であることを特徴としている。
【００１０】
また、請求項３に記載の本発明は、一対の山部には、他の部材に首支え具を固定する留め具が設けられている請求項１又は２に記載の首支え具であることを特徴としている。
【００１１】
また、請求項４に記載の本発明は、内部が複数の間仕切りによって区切られた請求項１から３のいずれかに記載の首支え具であることを特徴としている。  
【００１２】
また、請求項５に記載の本発明は、略U字形状の内部に詰め物を入れこむ空間を設け、高さ調節を可能にした請求項１から４のいずれかに記載の首支え具であることを特徴としている。
【００１３】
また、請求項６に記載の本発明は、一対の山部の間に配置され、使用者の頭部を支える支持部を備える請求項１から５のいずれかに記載の首支え具であることを特徴としている。
【００１４】
また、請求項７に記載の本発明は、使用者の背中に沿って配置され、上下方向に延び、上端側で谷部又は山部を支持する骨部を備える請求項１から６のいずれかに記載の首支え具であることを特徴としている。
【００１５】
また、請求項８に記載の本発明は、請求項１から７のいずれかに記載の首支え具と、頭を載置する載置部と、を備える枕であることを特徴としている。
【発明の効果】
【００１６】
本発明によれば、使用時における安定感を向上させ、首にかかる負荷を軽減することができる。
【図面の簡単な説明】
【００１７】
【図１】本発明の第１の首支え具の正面図である。
【図２】同、実施形態に係る首支え具の斜視図である。
【図３】同、実施形態に係る首支え具の使用態様を示す斜視図である。
【図４】本発明の第２の首支え具の斜視図である。
【図５】本発明の第３の首支え具の斜視図である。
【図６】同、実施形態に係る首支え具の使用態様を示す斜視図である。
【図７】同、実施形態に係る首支え具の使用態様を示す斜視図である。
【図８】本発明の第４の首支え具の正面図である。
【図９】本発明の第５の首支え具の斜視図である。
【図１０】本発明の第６の首支え具を備える枕の斜視図である。
【図１１】本発明の第７の首支え具の斜視図である。
【図１２】同、実施形態に係る首支え具の使用態様を示す図である。
【図１３】本発明の第８の首支え具の斜視図である。
【発明を実施するための形態】
【００１８】
以下、本発明による実施形態を、図面に基づいて詳細に説明すれば、図１及び図２は、本発明の第１の実施形態を示すが、首支え具１は、水平方向から見て略U字形状に形成され、使用者の首が置かれる谷部３と、谷部３の両側から、それぞれ斜め上方に延び、使用者の左右の耳から顎を支える一対の山部２と、を備えている。
【００１９】
図３には、同、実施形態に係る首支え具１の使用態様を示すが、水平方向から見て略U字形状に形成された首支え具１の谷部３に使用者の首が置かれ、谷部３の両側から、それぞれ斜め上方に延びた一対の山部２が、使用者の左右の耳から顎を支えている。
【００２０】
図４は、本発明の第２の実施形態を示すが、底部４が平らな面状であるので、安定感を保ち首を支えているため、首にかかる負荷は軽微なものとなる。
【００２１】
図５は、本発明の第３の実施形態を示すが、一対の山部２には、他の部材に首支え具１を固定する留め具５が設けられている。
【００２２】
図６は、同、実施形態に係る首支え具１の使用態様を示すが、一対の山部２には、他の部材に首支え具１を固定する留め具５が設けられていて、その留め具５は椅子１１の背に取り付けられている。
【００２３】
図７は、同、実施形態に係る首支え具１の使用態様を示すが、一対の山部２には、他の部材に首支え具１を固定する留め具５が設けられていて、その留め具５は吊り枕９に取り付けられている。使用時には、使用者の頭を布６の上に置き、首を首支え具１の谷部３に置いて使用する。
【００２４】
図８は、本発明の第４の実施形態を示すが、内部が複数の間仕切り７によって区切られている。
【００２５】
図９は、本発明の第５の実施形態を示すが、略U字形状の首支え具１の内部に詰め物１３を入れこむ空間を設けて高さ調節を可能にしたので、チャック１０を開けて中の空間にタオルやスポンジなどの詰め物１３を挿入することで、好みの高さを形成することが可能である。
【００２６】
図１０は、本発明の第６の実施形態を示すが、首支え具１と、頭を載置する載置部１２と、を備えてあり、頭は載置部１２の上に置き、首は首支え具１の谷部３の上に置いて使用する枕１００である。
【００２７】
使用者の耳から顎を首支え具１の両側の山部２で保持されるので、使用者が顔を横に向けた時に山部２により支えられ、頭がいかなる角度に倒れても首が頭を支える必要はなくなるため、首にかかる負荷を軽減することが可能である。
【００２８】
図１１は、本発明の第７の実施形態を示すが、首支え具１は、一対の山部２の間に配置され、使用者の頭部を支える支持部１４を備えている。
【００２９】
図１２は、同実施形態を示すが、支持部１４はクッションやネット、シートなどが望ましく、支持部１４により使用者の頭部１５を支えることができる。これにより、首と後頭部が支えられ、よりリラックスした状態で使用することが可能となる。
【００３０】
図１３は、本発明の第８の実施形態を示すが、使用者の背中１７に沿って配置され、上下方向に延び、上端側で谷部３又は山部２を支持する骨部１６を備えている。骨部１６は使用者の背中１７と椅子の背との間に挟んで固定しても良いし、リュックのように背負う形態としても良い。
【００３１】
本実施形態は、椅子に背もたれが無い場合や、背もたれの位置が低い場合に、身体が前傾姿勢になって猫背になるのを防ぎ、首の正常な湾曲を失わせるストレートネック対策にもなる。
【００３２】
長時間の座り姿勢や、パソコンやスマホの使用により姿勢が悪くなると、ストレートネックだけでなく、首こりや肩こり、不眠の原因になり、心身の健康に異常をきたす恐れがある。本実施形態により、背もたれ（骨部１６）付きの首支え具を簡単に設置することで姿勢の悪化を防ぎ、リラックスした状態を保つことが可能となる。
【００３３】
なお、上記第１の実施形態から第８の実施形態の各構成は、取り付ける事が可能である限り、任意に組み合わせる事が可能である。
【符号の説明】
【００３４】
１  首支え具
２  山部
３  谷部
４  底部
５  留め具
６  布
７  間仕切り
８  フレーム
９  吊り枕
１０  チャック
１１  椅子
１２  載置部
１３  詰め物
１４  支持部
１５  頭部
１６  骨部
１７  背中
１００  枕
【図１】
2019118838.tif 000003
【図２】
2019118838.tif 000004
【図３】
2019118838.tif 000005
【図４】
2019118838.tif 000006
【図５】
2019118838.tif 000007
【図６】
2019118838.tif 000008
【図７】
2019118838.tif 000009
【図８】
2019118838.tif 000010
【図９】
2019118838.tif 000011
【図１０】
2019118838.tif 000012
【図１１】
2019118838.tif 000013
【図１２】
2019118838.tif 000014
【図１３】
2019118838.tif 000015